(57)【要約】      （修正有）【課題】より経済的で環境にやさしいペット用トイレ装置とするために糞と尿を選択的に分離して処理できるトイレ装置を提供する。【解決手段】ペットの排泄物を回収するためのペット用トイレ装置であって、ペットが排泄する際に乗る台座部１２と、台座部上に水平方向に移動可能に配設され、ペットの排泄物を受けると共に排泄物を乗せた状態で搬送しうる搬送シート１３と、搬送シートを搬送させるための駆動部１４と、搬送シートにより搬送された排泄物を収納しうる排泄物収納部１５とを備え、搬送シートは、ペットの排泄した尿を透過するシートにより形成され、搬送シートの下方にはペット排泄物処理用シート２１が台座部上面部に固定配設されている。【選択図】図３
0003189976.tif 000002
【実用新案登録請求の範囲】
【請求項１】
ペットの排泄物を回収するためのペット用トイレ装置であって、ペットが排泄する際に乗る台座部と、上記台座部上に水平方向に移動可能に配設され、ペットの排泄物を受けると共に排泄物を乗せた状態で搬送しうる搬送シートと、上記搬送シートを搬送させるための駆動部と、上記搬送シートにより搬送された排泄物を収納しうる排泄物収納部とを備え、上記搬送シートは、ペットの排泄した尿を透過するシートにより形成され、上記搬送シートの下方にはペット排泄物処理用シートが上記台座部上面部に固定されて配設されていることを特徴とするペット用トイレ装置。
【請求項２】
上部が開放された箱状に形成されたトイレ装置本体と、上記トイレ装置本体の一端部に設けられ、上記搬送シートをロール状に巻いた搬送シートロールを回転可能に収納して保持する搬送シートロール収納部と、上記搬送シートロール収納部の下流側に隣接して配設された台座部と、上記台座部の下流側に取外し可能に設けられた排泄物収納部とを備え、上記台座部と排泄物収納部との間には、上記搬送シート巻き取り部が配設されていることを特徴とする請求項１記載のペット用トイレ。
【請求項３】
上記搬送シート巻き取り部は、上記駆動部により駆動されることを特徴とする請求項２記載のペット用トイレ装置。
【請求項４】
上記台座部には、ペットが乗ったことを感知する重量感知センサーが配設され、上記駆動部は上記重量感知センサーにより駆動制御されることを特徴とする請求項３記載のペット用トイレ装置。
【請求項５】
上記トイレ装置本体は床面上に載置して使用され、上記台座部は床面から所定間隔寸法高く配置される上面部を有し、上記搬送シートロールは搬送シートロール収納部内において上記上面部と略同一面上に配設されると共に、上記搬送シート巻き取り部は上記上面部よりも下方に設けられていることを特徴とする請求項２記載のペット用トイレ装置。
【請求項６】
上記台座部の上流側端部及び上記搬送シート巻き取り部の下流側には上記ペット排泄物処理用シートの固定部が設けられていることを特徴とする請求項１記載のペット用トイレ装置。
【考案の詳細な説明】
【技術分野】
【０００１】
本考案は、ペット用トイレの改良に関するものである。
【背景技術】
【０００２】
従来より、吸収シート層の下方に防水シート層が配置された処理シートを用い、糞尿を共に搬送し巻き取りを行うという構造を有するトイレ装置は特許文献１において既に提案されている。
【０００３】
しかしながら、特許文献１の発明に係るトイレ装置にあっては、繰り返し使用した際に、巻き取り部はすぐに径大となってしまい交換頻度も高くなってしまい、交換頻度を低く保とうとすれば装置全体を大きくする必要があった。
また、吸収シート層と防水シート層で構成される処理シートは、１回の排泄行為で一定尺巻き取りされることとなるので吸収シート層の吸収限界容量に達する前に、まだ使用可能な部分を大きく残しつつ巻き取られてしまう場合があり処理シートを効率良く使用できないという不具合があった。
【特許文献１】特許第３７６２７６１号公報
【考案の開示】
【考案が解決しようとする課題】
【０００４】
そこで、本願考案は、このような従来の要請に基づくものであって、より経済的で環境にやさしいペット用トイレ装置とするために糞と尿を選択的に分離して処理できるトイレ装置を提供することにある。
【課題を解決するための手段】
【０００５】
上記課題を解決するために請求項１記載の考案にあっては、ペットの排泄物を回収するためのペット用トイレ装置であって、ペットが排泄する際に乗る台座部と、上記台座部上に水平方向に移動可能に配設され、ペットの排泄物を受けると共に排泄物を乗せた状態で搬送しうる搬送シートと、上記搬送シートを搬送させるための駆動部と、上記搬送シートにより搬送された排泄物を収納しうる排泄物収納部とを備え、上記搬送シートは、ペットの排泄した尿を透過するシートにより形成され、上記搬送シートの下方にはペット排泄物処理用シートが上記台座部上面部に固定されて配設されていることを特徴とする。従って、ペットの尿のみが搬送シートを透過して排泄物処理用シートに吸収され、糞は搬送シートが稼動することにより排泄物収納部へと収納される。
【０００６】
請求項２記載の考案にあっては、請求項１記載のペット用トイレ装置であって、上部が開放された箱状に形成されたトイレ装置本体と、上記トイレ装置本体の一端部に設けられ、上記搬送シートをロール状に巻いた搬送シートロールを回転可能に収納して保持する搬送シートロール収納部と、上記搬送シートロール収納部の下流側に隣接して配設された台座部と、上記台座部の下流側に取外し可能に設けられた排泄物収納部とを備え、上記台座部と排泄物収納部との間には、上記搬送シート巻き取り部が配設されていることを特徴とする。従って、搬送シートが回転巻き取りされることにより糞を搬送する。
【０００７】
請求項３記載の考案にあっては、上記搬送シート巻き取り部は、上記駆動部により駆動されることを特徴とする。従って、搬送シートは駆動部の動きと連動して巻き取りされる。
【０００８】
請求項４記載の考案にあっては、上記台座部には、ペットが乗ったことを感知する重量感知センサーが配設され、上記駆動部は上記重量感知センサーにより駆動制御されることを特徴とする。従って、駆動部は重量感知センサーからの信号を直接的あるいは間接的に受けることにより動作する。
【０００９】
請求項５記載の考案にあっては、上記トイレ装置本体は床面上に載置して使用され、上記台座部は床面から所定間隔寸法高く配置される上面部を有し、上記搬送シートロールは搬送シートロール収納部内において上記上面部と略同一面上に配設されると共に、上記搬送シート巻き取り部は上記上面部よりも下方に設けられていることを特徴とする。従って、搬送された糞は排泄物収納部上で重力落下して排泄物収納部に収納される。
【００１０】
請求項６記載の考案にあっては、上記台座部の上流側端部及び上記搬送シート巻き取り部の下流側には上記ペット排泄物処理用シートの固定部が設けられていることを特徴とする。従って、排泄物処理用シートがずれることがない。
【考案の効果】
【００１１】
請求項１記載のペット用トイレ装置にあっては、ペットの尿のみが搬送シートを透過して排泄物処理用シートに吸収され、糞は搬送シートが稼動することにより排泄物収納部へと収納され其々が分離して収納されることから、分離せずに収納される場合に比べ雑菌の繁殖を抑制できるので臭いを低減することができる。
また、排泄物処理シートは吸収容量の限界に到達する際に交換すれば良く経済的である。ペットは自身の糞を食してしまう食糞と呼ばれる行為をしてしまうことがあるが、上記ペット用トイレ装置にあっては排泄物収容部に収納されるため食糞を防止できる。
【００１２】
請求項２記載のペット用トイレ装置にあっては、トイレ装置本体が箱状に形成されているため、複雑な外形を有するものと比べ屋内の限られたスペースであっても該トイレ装置をすっきりとコンパクトに収められる。また、搬送シートが回転巻き取りされることにより糞を搬送するので、糞に触れることなく排泄物収納部へ収納でき、排泄物収納部を取外して適宜糞を処理することができる。
【００１３】
請求項３及び４記載のペット用トイレ装置にあっては、搬送シート巻き取り部が駆動部により駆動され、駆動部は台座部に配設された重量感知センサーにより駆動制御される。従って、ペットが台座部の上面部に載ったことを重量感知センサーにて感知し、そこから直接的にあるいは間接的に駆動部へ信号が出力され搬送シート巻き取りを行うことができるので、人が操作を行わなくとも排泄物の巻き取り収納が可能となり、飼い主は安心して外出できる。
【００１４】
請求項５記載のペット用トイレ装置にあっては、台座部が床面から所定間隔寸法高く配置されている上面部を有していることから、ペットが自身が上面部に完全に載ったことを認識し易くなり、ペットが該上面部に片足を載せた状態で排泄行為を行ってしまうことを回避できる。また、搬送シート巻き取り部は上面部よりも下方に配設されていることから、搬送された糞は排泄物収納部上で重力落下して排泄物収納部に収納されるので、人の手の介在が不要となる。
【００１５】
請求項６記載のペット用トイレ装置にあっては、台座部の上流側端部及び搬送シート巻き取り部の下流側に排泄物処理用シートの固定部が設けられていることから、搬送シートの巻き取りを行う際や搬送シート上でペットが動いた際などに該排泄物処理用シートが動いてしまうという事態を回避することができる。
【図面の簡単な説明】
【００１６】
【図１】図１は、本考案に係る犬用自動トイレの一実施形態の構造を示した斜視図で、搬送シートロール収納部カバーが開いた状態を図示している。
【図２】図２は、本考案に係る犬用自動トイレの一実施形態の構造を示した図１の他方向斜視図で、搬送シート巻き取り部カバーを取り外した状態を図示している。
【図３】図３は、本考案に係る犬用自動トイレの一実施形態の構造を示し搬送シートロールを展開した状態を示す側面断面図である。
【考案を実施するための最良の形態】
【００１７】
以下、本考案を実施の形態に基づき、図面を参照して詳細に説明する。なお、本考案のペット用トイレ装置は、以下の実施例に限定されるものではなく、本考案の要旨を逸脱しない範囲内において種々変更を加え得ることは勿論である。
【００１８】
図１に示すように、本実施の形態に係るペット用自動トイレ１０は、犬の排泄物を回収するための犬用トイレ装置であり、上部が開放された全体略直方体状に形成されており、トイレ装置本体１１は住宅の床面上等に載置して使用される。
【００１９】
図１から図３に示すように、上記犬用自動トイレ１０は、犬が排泄する際に乗る台座部１２と、上記台座部１２上に水平方向に移動可能に配設され、ペットの排泄物を受けると共に排泄物を乗せた状態で搬送しうる搬送シート１３と、上記シート１３を搬送させるための駆動部１４と、上記搬送シート１３により搬送された排泄物を収納しうる排泄物収納部１５とを備えており、この排泄物収納部１５は図１の矢印の方向に引き出して取外し、排泄物を処分することができる。
また、上記台座部１２は床面から所定間隔寸法高く配置される上面部１６を有している。
【００２０】
トイレ装置本体１１の一端部１７に設けられ、上記搬送シート１３をロール状に巻いた搬送シートロール１８を回転可能に収納して保持する搬送シートロール収納部１９が備えられており、さらに上下方向に回動して開閉可能な搬送シートロール収納部カバー２０が配設されている。
上記搬送シート１３は、ペットの排泄した尿を透過するシートにより形成され、上記搬送シート１３の下方にはペット排泄物処理用シート２１が上記台座部１２の上面部１６に固定されて配設されている。
上記ペット排泄物処理用シート２１の固定は、固定部２５によって行われる。固定部２５は、図１に示すように上記台座部１２の上面部１６の上流側端部２２のトイレ装置本体１１幅方向に１対、及び搬送シート巻き取り部カバー２３の下流側のトイレ装置本体１１幅方向に１対の４ヶ所に夫々設けられている。上記固定部２５は上記ペット排泄物処理用シート２１を上方から差し込み固定できるように形成されており、排泄物処理用シート２１の四隅を差し込むことで固定される。
【００２１】
図１および図２に示すように、上記搬送シートロール収納部１９の下流側に隣接して配設された台座部１２と、上記台座部１２の下流側に設けられた排泄物収納部１５とを備え、上記台座部１２と上記排泄物収納部１５との間には、巻き取りロールにより形成された上記搬送シート巻き取り部２４が配設されている。
上記搬送シートロール１８は搬送シートロール収納部１９内において上記上面部１６と略同一面上に配設されると共に、上記搬送シート巻き取り部２４は上記上面部１６よりも下方に設けられている。
【００２２】
上記搬送シート巻き取り部２４は、上記重量感知センサー２６により駆動制御される上記駆動部１４により駆動される。
上記トイレ装置本体１１の台座部１２に配設されたペットが乗ったことを感知する重量感知センサー２６により発せられた信号がタイマ―(図示せず)を介して予め設定された一定時間経過後に駆動部１４へ伝達される。図３において駆動部１４は原動力部２７、駆動ギヤ２８、伝達ベルト２９および中間ギヤ３０で構成されており、これらを介して搬送シート巻き取り部２４が駆動される。
【００２３】
以下、本実施の形態に係る犬用自動トイレの作用について図を参照して説明する。
本実施の形態に係る犬用自動トイレ１０は、以上のような構成を有することから、ペットの犬が台座部１２の上面部１６上に敷設された排泄物処理用シート２１および搬送シート１３上に載ると重量感知センサー２６でそれを感知する。予めタイマーの時間を決定しセットしておくことで、犬が排泄行為を行って立ち去った後、駆動部１４および連動する搬送シート巻き取り部２４が駆動し、排泄物は排泄物収納部１５に収納される。また、排泄物収納部１５および搬送シート巻き取り部２４が上面部１６よりも下方に配置されることにより、糞は落下して排泄物収納部１５へと収納される。
搬送シート１３は尿のみを透過し、排泄物処理用シートによって吸収処理されるので、排泄物収納部１５に収納されるのは糞のみである。また、排泄物収納部１５が図１の直線矢印の方向に引き出して取外し可能に形成されていることから、糞が溜まったら該排泄物収納部１５のみを取外して持ち運び内容物を処理すればよい。
以上のように糞尿が分離して収納される構造を有することから混合状態で収納されるものよりも雑菌の繁殖を抑制することができ、臭いの抑制に繋がる。
【００２４】
上記実施の形態においては、犬用自動トイレ１０を例として説明したが特に限定されるものではなく、猫用であっても良いし他のペット用であっても良い。
【００２５】
上記実施の形態においては、トイレ装置本体１１が箱状に形成されているものを例として説明したが特に限定されるものではなく、丸みを帯びていても良いし、種々の装飾が施されても良い。
【００２６】
上記実施の形態においては、排泄物収納部１５は引き出し型形状のものを例に説明したが特に限定されるものではなく、トイレ装置本体１１の端面に開閉するドアを設け、内部に排泄物収納部１５としてプラスチック製のトレーを置いても良い。
【００２７】
上記実施の形態においては、固定部２５は差し込み口のものを例に説明したが特に限定されるものではなく、クリップ式でも良いし他の方法でも良い。
【産業上の利用可能性】
【００２８】
本考案に係るペット用トイレ装置は、臭いを抑制しながら経済性の優れたペット用トイレ装置を提供するものであり産業上利用可能性を有している。
【符号の説明】
【００２９】
１０  ペット用自動トイレ
１１  トイレ装置本体
１２  台座部
１３  搬送シート
１４  駆動部
１５  排泄物収納部
１６  上面部
１７  一端部
１８  搬送シートロール
１９  搬送シートロール収納部
２０  搬送シートロール収納部カバー
２１  排泄物処理用シート
２２  上流側端部
２３  搬送シート巻き取り部カバー
２４  搬送シート巻き取り部
２５  固定部（差し込み口）
２６  重量感知センサー
２７  原動力部
２８  駆動ギヤ
２９  伝達ベルト
３０  中間ギヤ
【図１】
0003189976.tif 000003
【図２】
0003189976.tif 000004
【図３】
0003189976.tif 000005